(57)【要約】      （修正有）【課題】重送が発生した場合でも、重送した原稿を再度セットして読取らせる手間をなくした原稿読取装置を提供する【解決手段】複数枚の原稿を１枚毎に分離して順次原稿の画像を読取る原稿読取装置１０において、給送された原稿Ｐ２、Ｐ３の重送を検出したときは、画像を読取る位置より上流側において重送した後行の原稿Ｐ３を逆搬送させるとともに、重送した先行の原稿Ｐ２を搬送して、重送した原稿Ｐ２、Ｐ３を分離し、分離した原稿Ｐ２、Ｐ３の画像を順次読取る。或いは、更に原稿を一時退避する原稿退避用開口部６を備え、逆搬送させた後行の原稿Ｐ３を一時退避させる。【選択図】図１７
2017011661.tif 000002
【特許請求の範囲】
【請求項１】
複数枚の原稿を搬送路へ搬送し、前記原稿の画像を１枚毎に読取る原稿読取装置において、
前記搬送路を搬送される前記原稿の重送を検出する重送検出部と、
前記搬送路中に設けられ、前記原稿を正逆両方向へ搬送可能とする中間駆動ローラと、
前記搬送路を搬送された前記原稿の画像を順次読取る原稿読取部と、
前記重送検出部により重送した前記原稿を検出したときは、重送した後行の原稿を逆方向へ搬送するとともに、先行の原稿を正方向へ搬送することによって重送した前記原稿を前記搬送路内で分離するよう制御する制御部を有することを特徴とする原稿読取装置。
【請求項２】
前記制御部は、前記搬送路内で分離した前記原稿の画像を前記原稿読取部により順次読取るよう制御することを特徴とする請求項１記載の原稿読取装置。
【請求項３】
複数枚の原稿の画像を１枚毎に読取る原稿読取装置において、
１枚毎に給紙した前記原稿を搬送する搬送路と、
搬送路の最上流位置近傍で搬送路の上下一方の側に配置され、原稿を１枚毎に前記搬送路へ給紙する給紙駆動ローラと、
前記給紙駆動ローラの下流側近傍で前記搬送路の上下他方の側に配置され、前記原稿の重送を検出する重送検出部と、
前記搬送路の中間で上下他方の側に配置され、正逆回転により前記原稿を搬送方向及び逆搬送方向に搬送する中間駆動ローラと、
前記搬送路の最下流位置近傍に配置され、搬送されてきた前記原稿の画像を読取る原稿読取部とを具備し、
更に、搬送された前記原稿の重送を前記重送検出部によって検出したときは、前記中間駆動ローラを第２の所定時間の間、逆回転させて重送した後行の原稿を逆搬送させるとともに、重送した先行の原稿を搬送して、前記重送した原稿を分離し、該分離した原稿を前記原稿読取部により順次読取る制御部を備えたことを特徴とする原稿読取装置。
【請求項４】
前記制御部は、前記重送した先行の原稿を排出駆動ローラによって搬送するよう制御することを特徴とする請求項３記載の原稿読取装置。
【請求項５】
前記搬送路を逆方向へ搬送した前記原稿を一時退避する原稿退避部を備え、
前記制御部は、前記逆方向へ搬送した前記後行の原稿を前記原稿退避部へ一時退避するように制御することを特徴とする請求項１乃至４いずれか一記載の原稿読取装置。
【請求項６】
前記原稿退避部は給紙駆動ローラと中間駆動ローラ間の前記搬送路上に設けた分岐点から分岐して設けられたことを特徴とする請求項５記載の原稿読取装置。
【請求項７】
前記制御部は、搬送された前記原稿の重送を検出したときは、前記中間駆動ローラを第１の所定時間正回転させて前記重送した原稿を搬送した後、前記中間駆動ローラを逆回転させることを特徴とする請求項６記載の原稿読取装置。
【請求項８】
前記第１の所定時間は、前記重送した原稿の後端が、前記重送検出部上を通過してから、前記分岐点まで搬送される時間としたことを特徴とする請求項７記載の原稿読取装置。
【請求項９】
前記第２の所定時間は、前記重送した後行の原稿の逆搬送を開始してから、逆搬送時の原稿の後端が原稿読取部の上流側に戻るまでの時間としたことを特徴とする請求項３又は４記載の原稿読取装置。
【請求項１０】
前記重送した原稿の重送範囲が狭い場合、
前記中間駆動ローラの摩擦係数を前記排出駆動ローラの摩擦係数より大きくしたことを特徴とする請求項１乃至５いずれか一記載の原稿読取装置。
【請求項１１】
前記重送した原稿の重送範囲が広い場合、
前記制御部は、前記重送した先行の原稿の画像読取り開始前に、前記重送した後行の原稿の逆搬送を開始することを特徴とする請求項１乃至５いずれか一記載の原稿読取装置。
【請求項１２】
前記重送した原稿の重送範囲が中程度の場合、
前記制御部は、前記重送した先行の原稿の画像読取りの途中に、前記重送した後行の原稿の逆搬送を開始することを特徴とする請求項１乃至５いずれか一記載の原稿読取装置。
【請求項１３】
前記重送した原稿の重送範囲が狭い場合、
前記制御部は、前記重送した先行の原稿の画像読取りを終了した後に、前記重送した後行の原稿の逆搬送を開始することを特徴とする請求項１乃至５いずれか一記載の原稿読取装置。
【請求項１４】
前記制御部は、前記重送検出部のセンサ出力から重送範囲の広さを判定し、該判定結果に応じて、前記重送した後行の原稿の逆搬送開始のタイミングに対する重送した先行の原稿の画像読取り開始のタイミングを変化するようにしたことを特徴とする請求項１乃至５いずれか一記載の画像読取装置。
【請求項１５】
前記制御部は、前記重送検出部のセンサ出力が階段状に増加したときに重送と判定するようにしたことを特徴とする請求項１乃至５いずれか一記載の原稿読取装置。
【請求項１６】
複数枚の原稿の画像を１枚毎に読取る原稿読取方法において、
給紙駆動ローラにより搬送路へ原稿を１枚毎に給紙する給紙工程と、
重送検出部により前記搬送路内の前記原稿の重送を検出する重送検出工程と、
中間駆動ローラの回転により前記原稿を搬送方向へ搬送する原稿搬送工程と、
排出駆動ローラの回転により前記原稿を排出する原稿排出工程と、
前記重送検出工程により前記原稿の重送を検出したときは、前記中間駆動ローラの逆回転により重送した後行の原稿を逆搬送方向へ搬送するとともに、前記排出駆動ローラの正回転により重送した先行の原稿を正搬送方向へ搬送することにより重送した前記原稿を分離する重送原稿分離工程と、
前記重送原稿分離工程により分離された前記先行の原稿の画像を原稿読取部により先に読取り、続いて前記後行の原稿の画像を読取る画像読取工程を含むことを特徴とする原稿読取方法。
【請求項１７】
前記重送原稿分離工程において、前記中間駆動ローラを第１の所定時間正回転させて前記重送した原稿を搬送した後、前記中間駆動ローラを逆回転させることを特徴とする請求項１６記載の原稿読取方法。
【請求項１８】
前記第１の所定時間は、前記重送した原稿の後端が、前記重送検出部上を通過してから、前記原稿を一時退避させる原稿退避部への分岐点まで搬送される時間としたことを特徴とする請求項１７記載の原稿読取方法。
【請求項１９】
前記重送原稿分離工程において、前記中間駆動ローラを逆回転させて重送した後行の原稿を逆搬送させることを第２の所定時間の間、行うことを特徴とする請求項１６記載の原稿読取方法。
【請求項２０】
前記第２の所定時間は、前記重送した後行の原稿の逆搬送を開始してから、逆搬送時の原稿の後端が原稿読取部の上流側に戻るまでの時間としたことを特徴とする請求項１９記載の原稿読取方法。
【請求項２１】
前記重送した原稿の重送範囲が広い場合、
前記重送原稿分離工程における前記重送した後行の原稿の逆搬送の開始は、前記重送した先行の原稿の画像読取り開始前であることを特徴とする請求項１６記載の原稿読取方法。
【請求項２２】
前記重送した原稿の重送範囲が中程度の場合、
前記重送原稿分離工程における前記重送した後行の原稿の逆搬送の開始は、前記重送した先行の原稿の画像読取りの途中であることを特徴とする請求項１６記載の原稿読取方法。
【請求項２３】
前記重送した原稿の重送範囲が狭い場合、
前記重送原稿分離工程における前記重送した後行の原稿の逆搬送の開始は、前記重送した先行の原稿の画像読取りを終了した後であることを特徴とする請求項１６記載の原稿読取方法。
【請求項２４】
前記重送検出工程において、前記重送検出部のセンサ出力が階段状に増加したときに重送と判定することを特徴とする請求項１６記載の原稿読取方法。
【発明の詳細な説明】
【技術分野】
【０００１】
本発明は、セットされた原稿を１枚毎に分離して原稿の画像を順次読取る原稿読取装置に関する。
【背景技術】
【０００２】
近年、複数枚の原稿がセットされると、１枚毎に分離して順次原稿の画像を読取り、読取った画像を電子メール等によって自動送信する原稿読取装置が開発され製品化されている。
このような原稿読取装置では、セットされた複数枚の原稿の画像を順次読取る際に、原稿の重送が発生した場合、そのまま原稿の画像の読取りを継続し、全ての原稿の画像を読取る。そして、読取った画像から重送した原稿を特定し、特定された原稿のみを操作者に再度セットするように促す。そして、再度セットされた原稿の画像を読取り、原稿全体の画像に挿入するようにしている（例えば、特開２０１１−１００３０号公報（特許文献１）参照）。
【先行技術文献】
【特許文献】
【０００３】
【特許文献１】特開２０１１−１００３０号公報
【発明の概要】
【発明が解決しようとする課題】
【０００４】
しかしながら、上記従来の原稿読取装置では、重送が発生した場合、重送した原稿として特定された原稿を操作者が再度セットする必要があるために、操作者にとって手間がかかるという問題があった。
【０００５】
本発明の課題は、このような問題を解決することを課題とし、複数枚の原稿を１枚毎に分離して順次原稿の画像を読取る原稿読取装置において、搬送路において原稿の重送が発生した場合でも、原稿を再度セットする手間をなくして、順次原稿の画像を読取る原稿読取装置を提供することを目的とする。
【課題を解決するための手段】
【０００６】
上記課題を解決するために本発明に関する原稿読取装置は、複数枚の原稿を搬送路へ搬送し、前記原稿の画像を１枚毎に読取る原稿読取装置において、前記搬送路を搬送される前記原稿の重送を検出する重送検出部と、前記搬送路中に設けられ、前記原稿を正逆両方向へ搬送可能とする中間駆動ローラと、前記搬送路を搬送された前記原稿の画像を順次読取る原稿読取部と、前記重送検出部により重送した前記原稿を検出したときは、重送した後行の原稿を逆方向へ搬送するとともに、先行の原稿を正方向へ搬送することによって重送した前記原稿を前記搬送路内で分離するよう制御する制御部を有することを特徴とするものである。
【発明の効果】
【０００７】
本発明によれば、このような構成とすることにより、原稿が搬送路内で重送したときでも重送した原稿を逆搬送方向と正搬送方向に分離するようにしたので、その後原稿の画像を順次読取ることにより、重送した原稿を再度セットして画像を読取らせる手間をなくすことができる。
【図面の簡単な説明】
【０００８】
【図１】第１の実施の形態に関する原稿読取装置の構成を示すブロック図である。
【図２】第１の実施の形態に関する原稿読取装置の概略断面図である。
【図３】第１の実施の形態に関する原稿読取装置の重送検出を示す説明図である。
【図４】第１の実施の形態に関する原稿読取装置の動作を説明するタイムチャートである。
【図５】第１の実施の形態に関する原稿読取装置の動作を説明するフローチャートである。
【図６】第１の実施の形態に関する原稿読取装置において重送が検出されたときの動作を示す概略断面図である。
【図７】第１の実施の形態に関する原稿読取装置において重送した原稿の分離を開始する直前の動作を示す概略断面図である。
【図８】第１の実施の形態に関する原稿読取装置において重送した原稿が分離された時の動作を示す概略断面図である。
【図９】第１の実施の形態に関する原稿読取装置において重送の範囲が狭い原稿の状態を示す概略断面図である。
【図１０】第２の実施の形態に関する原稿読取装置の動作を説明するタイムチャートである。
【図１１】第２の実施の形態に関する原稿読取装置の動作を説明するフローチャートである。
【図１２】第２の実施の形態に関する原稿読取装置において重送した原稿の分離を開始する直前の動作を示す概略断面図である。
【図１３】第３の実施の形態に関する原稿読取装置の動作を説明するタイムチャートである。
【図１４】第３の実施の形態に関する原稿読取装置の動作を説明するフローチャートである。
【図１５】第３の実施の形態に関する原稿読取装置において重送した原稿の分離を開始する直前の動作を示す概略断面図である。
【図１６】その他の変形例に関する原稿読取装置の動作を示す説明図である。
【図１７】その他の変形例に関する原稿読取装置の動作を示す概略断面図である。
【発明を実施するための形態】
【０００９】
（第１の実施の形態）
以下に本発明を実施するための最良の形態である第１の実施の形態を説明する。各図面に共通な要素には同一の符号を付す。まず、第１の実施の形態に関する原稿読取装置の構成を説明する。図１は第１の実施の形態に関する原稿読取装置の構成を示すブロック図である。
原稿読取装置１０はセットされた複数枚の原稿の画像を順次読取る装置である。原稿読取装置１０は、複数枚の原稿を１枚毎に分離して搬送し、原稿の画像を順次読取る原稿搬送部２１及び原稿搬送部２１を制御する制御部２０からなる。
【００１０】
原稿搬送部２１は、セットされた複数枚の原稿を１枚毎に分離する給紙駆動ローラ１と、読取り終わった原稿を装置外へ排出する排出駆動ローラ９及び後述する搬送路１１における給紙駆動ローラ１と排出駆動ローラ９の中間に設けられた中間駆動ローラ４を含んで構成される。そして、原稿搬送部２１は、第１モータ２２、第２モータ２３及び第３モータ２４を含んで構成される。第１モータ２２は制御部２０からの動作指示を受け、給紙駆動ローラ１を回転させる。第２モータ２３は制御部２０からの動作指示を受け、中間駆動ローラ４を正逆両方向に回転させる。第３モータ２４は制御部２０からの動作指示を受け、排出駆動ローラ９を回転させる。
【００１１】
更に、原稿搬送部２１は、搬送路１１を搬送される原稿の重送を検出する重送検出部としての紙厚センサ３、搬送路１１を搬送された原稿の画像を順次読取る原稿読取部としてのスキャナ部７及び読取り終わった原稿が装置外へ排出されたかどうかを検出する排出センサ８を含んで構成される。制御部２０は原稿搬送部２１の紙厚センサ３及び排出センサ８のセンサ出力を受信し各モータ２２、２３及び２４への回転指示を行う。また、制御部２０はスキャナ部７から原稿読取り画像を受信する。
【００１２】
更に、制御部２０は、後述するように、重送検出部としての紙厚センサ３からのセンサ出力Ｓ１を受信し、搬送された原稿Ｐ２、Ｐ３の重送を検出する。そして、制御部２０は、後述するように、重送した後行の原稿Ｐ３を逆方向へ搬送するとともに、先行の原稿Ｐ２を正方向へ搬送することによって、重送した原稿Ｐ２、Ｐ３を搬送路内１１で分離するよう制御する。そして、制御部２０は搬送路内１１で分離した原稿Ｐ２、Ｐ３の画像をスキャナ部７により順次読取るよう制御する。
【００１３】
図２は、第１の実施の形態に関する原稿読取装置１０の概略断面図である。給紙駆動ローラ１は、矢印Ａに示す方向に回転することによりセットされた原稿Ｐを上側から順に１枚毎に分離し、装置内の図中破線で示す搬送路１１へと給紙する。搬送路１１は、１枚毎に給紙した原稿Ｐを搬送し、途中に設けられた紙厚センサ３及び中間駆動ローラ４を経由して、最下流近傍に位置する排出駆動ローラ９に至る。
給紙駆動ローラ１は、搬送路１１の最上流位置近傍で上下一方の側、即ち、図２に示す例では搬送路１１に対して上側に配置されている。そして、給紙駆動ローラ１は、制御部２０の制御により、セットされた複数枚の原稿Ｐの上側から順に第１原稿Ｐ１、第２原稿Ｐ２、第３原稿Ｐ３、更に後続する第ｎ原稿Ｐｎを１枚毎に順に給紙する。
【００１４】
フィードローラ２ａは、搬送路１１に対して上下一方の側、即ち、搬送路１１に対して給紙駆動ローラ１と同じ上側に配置される。リタードローラ２ｂは、給紙駆動ローラ１によって給送された原稿Ｐが重送しないようにローラの摩擦により重送を防ぐためにある。リタードローラ２ｂは搬送路１１に対して上下他方の側、即ち、給紙駆動ローラ１と反対の下側に配置されている。
尚、フィードローラ２ａ、リタードローラ２ｂは重送を防止する構造であれば、リタードローラ２ｂをリバースローラに替えたリバースローラ方式としてもよいし、リタードローラ２ｂをゲートローラに替えたゲートローラ方式としてもよい。
【００１５】
重送検出部としての紙厚センサ３は、リタードローラ２ｂの下流側近傍で搬送路１１に対して上下他方の側、即ち、給紙駆動ローラ１と反対の下側に配置される。紙厚センサ３は、その位置での搬送路１１を搬送される原稿Ｐの有無及び原稿Ｐの厚さを検出することにより原稿Ｐの重送を検出する。
後に図３に示すように、制御部２０は、通過する原稿Ｐの先端、即ち搬送方向における原稿Ｐの前方端部の厚さを基準とし、その後の厚さの変位によって重送かどうかを判断する。尚、重送検出部としての紙厚センサ３は、接触式レバーを備えその変位量を検出する変位センサを用いればよい。
【００１６】
中間駆動ローラ４は、搬送路１１において、給紙駆動ローラ１と後述する排出駆動ローラ９の中間で、搬送路１１に対して上下他方の側、即ち、給紙駆動ローラ１と反対の下側に配置される。中間駆動ローラ４は、制御部２０の制御により、正逆両方向に回転可能であり、矢印Ｂに示すように正回転することによって、搬送方向に原稿Ｐを搬送する。また、後に図７の矢印Ｃに示すように逆回転することにより原稿Ｐを逆搬送する。
搬送路１１上に設けられた分岐点ａは、原稿Ｐ２、Ｐ３の重送が検出されたとき、重送した原稿Ｐ２、Ｐ３のうち後行の原稿Ｐ３を逆搬送するための原稿Ｐ３の後端（逆搬送時の先端）の折返し位置、即ち、原稿Ｐ３の後方端部を分岐させる位置を示す。
中間ローラ５は、中間駆動ローラ４の対として設けられ、接している原稿の正逆両方向の搬送方向に連れ回りする。
【００１７】
原稿退避部としての原稿退避用開口部６は、ブレード６ａ及びガイド６ｂの間隙によって形成される退避用の開口部であり、給紙駆動ローラ１と中間駆動ローラ４間に配置される。即ち、原稿退避用開口部６は、搬送路１１上に設けた分岐点ａから分岐して設けられる。原稿退避用開口部６は、原稿Ｐ２、Ｐ３の重送が検出されたとき、制御部２０の制御により、中間駆動ローラ４を逆回転して逆搬送された原稿Ｐ３を一時退避させる。原稿退避用開口部６は、逆搬送した原稿Ｐ３の後端（逆搬送時の先端）が給紙駆動ローラ１側に戻って原稿Ｐ３が詰まらないようにするためにある。逆搬送した原稿Ｐ３の後端（逆搬送時の先端）は、ブレード６ａによって矢印Ｅに示す方向に強制的に搬送路１１外へ一時退避される。尚、給紙駆動ローラ１と中間駆動ローラ４間の搬送路長が原稿の長さより十分に長い搬送路の場合では、原稿退避用開口部６は設けない構成としてもよい。
【００１８】
原稿読取部としてのスキャナ部７は、画像を読取る位置としての最下流位置近傍である排出駆動ローラ９近傍に配置し、搬出されてきた原稿Ｐの画像を読取る。スキャナ部７は、ＣＣＤ（Charge Coupled Devices）方式のスキャナであってもよいし、ＣＩＳ（Contact Image Sensor）方式のスキャナであってもよい。また、スキャナ部７は片面読取り方式としてもよいし、両面読取り方式としてもよい。更に、スキャナ部７は、排出駆動ローラ９の近傍であれば、駆動ローラ９の下流側に配置しても、上流側に配置してよい。
【００１９】
排出センサ８は、搬送されてきた原稿Ｐが排出されたかどうかを検出する。排出センサ８は、反射型光センサとしてもよいし透過型光センサとしてもよい。
排出駆動ローラ９は、搬送路１１の最下流位置近傍に配置され、搬送路１１に対して上下一方の側、即ち、給紙駆動ローラ１と同じである上側に配置される。（なお、図では搬送路１１をＵ字状に図示しているので、排出駆動ローラ９の搬送路１１に対する上下は逆に表現している。）従って、前述の中間駆動ローラ４は、搬送路１１に対して上下他方の側に配置されるのに対し、排出駆動ローラ９は搬送路１１に対して上下一方の側に配置される。両者はいわゆる対角に位置することになる。また、排出駆動ローラ９は、制御部２０の制御により、矢印Ｄ方向に正回転のみ可能で、原稿を矢印Ｆ方向に搬送し排出する。
排出ローラ１２は、排出駆動ローラ９の対として設けられ、接している原稿の搬送方向に連れ回りする。
【００２０】
図３は、第１の実施の形態に関する原稿読取装置の重送検出を示す説明図である。重送した原稿Ｐ２、Ｐ３は、完全に原稿同士が重なる場合以外は、原稿Ｐ２、Ｐ３の先端又は後端がずれて階段状になる。そして、原稿Ｐ２、Ｐ３の先端に対する紙厚センサ３のセンサ出力Ｓ１は、原稿Ｐ２の紙厚をＲ１、原稿Ｐ３の紙厚をＲ２とすると、０→Ｒ１→Ｒ１＋Ｒ２のように階段状に増加する。従って、紙厚センサ３のセンサ出力Ｓ１が階段状に増加した場合、重送が発生したと判断することができる。このように原稿Ｐ２、Ｐ３の先端に対する紙厚センサ３のセンサ出力Ｓ１によって重送が発生したことを判定することは、重送を早い段階で検出することができる。
【００２１】
図３（ａ）は搬送路１１の下側に紙厚センサ３を配置して重送検知を行う場合を示し、図３（ｂ）は搬送路１１の上側に紙厚センサ３を配置して重送検知を行う場合を示す。紙厚センサ３は、矢印Ｇ方向に揺動する接触式レバー３１を備え、接触式レバー３１と搬送路１１の基準面１１ａとの間に原稿Ｐ２、Ｐ３が搬送されると、原稿Ｐ２、Ｐ３の先端Ｐ２−１、Ｐ３−１が接触式レバー３１を押し上げ、変位させる。紙厚センサ３は接触式レバー３１の変位をセンサ出力Ｓ１として制御部２０へ出力する。制御部２０はその変位が階段状に増加したかどうかによって重送かどうかを判断する。
【００２２】
なお、ここで制御部２０は、紙厚センサ３のセンサ出力Ｓ１が階段状になっていることに基づいて、原稿Ｐ２、Ｐ３の重送を検出することを説明したが、原稿Ｐ２、Ｐ３が完全に重なり合っている場合は、次の方法による。即ち、図３の二点鎖線に示すように、紙厚センサ３のセンサ出力Ｓ１は０→Ｒ１＋Ｒ２のように急激に増加する。従って、紙厚センサ３のセンサ出力Ｓ１が急激に増加した場合にも、重送が発生したと判断することができる。
【００２３】
図２で示す本実施の形態に関する原稿読取装置１０のように、給紙駆動ローラ１を搬送路１１の上側に設けた場合に発生する重送では、上側の原稿Ｐ２が先行する。この場合は、図３（ａ）に示すように搬送路１１の下側に紙厚センサ３を配置する。
一方、後に図１７で示すように給紙駆動ローラ１を搬送路１１の下側に設ける場合に発生する重送では、下側の原稿Ｐ２が先行する。この場合は、図３（ｂ）に示すように上側に紙厚センサ３を配置することにより同様に重送を検出することができる。
【００２４】
次に、第１の実施の形態に関する原稿読取装置１０の動作を以下に説明する。図４は、第１の実施の形態に関する原稿読取装置の動作を説明するタイムチャートである。
同図において、信号Ｓ１及び信号Ｓ２は、後述するタイミングｔ０〜ｔ６における紙厚センサ３センサ出力Ｓ１及び排出センサ８のセンサ出力Ｓ２を示す。信号Ｓ３、Ｓ４及びＳ５は、後述するタイミングｔ０〜ｔ６における給紙駆動ローラ１、中間駆動ローラ４、排出駆動ローラ９の搬送速度を示す。
スキャンＰ１、Ｐ２、Ｐ３は、各原稿Ｐ１、Ｐ２、Ｐ３の画像を読取るタイミングを矢印で示している。スキャンＰ１が先行する原稿としての第１原稿Ｐ１、スキャンＰ２が第２原稿Ｐ２、スキャンＰ３が第３原稿Ｐ３の画像を読取るタイミングである。
【００２５】
タイミングｔ０は、紙厚センサ３のセンサ出力Ｓ１によって制御部２０が第２原稿Ｐ２及び第３原稿Ｐ３の重送を検出し、給紙駆動ローラ１を停止させるタイミングである。給紙駆動ローラ１の停止により第ｎ原稿（Ｐｎ）の給紙が停止される。先行する第１原稿Ｐ１は、このタイミングの近傍において画像の読取りが開始される。
タイミングｔ１は、第１原稿Ｐ１の画像読取りを終了し、搬出センサ８が排出完了を検出するタイミングである。排出センサ８によって原稿なしを検出すると、制御部２０は、第１モータ２２及び第２モータ２３に対し中間駆動ローラ４及び排出駆動ローラ９を停止するよう指示する。
【００２６】
タイミングｔ２は、給紙駆動ローラ１、中間駆動ローラ４及び排出駆動ローラ９が低速で正回転を再開するタイミングである。
タイミングｔ３は、重送した後行の原稿としての第３原稿Ｐ３の後端が紙厚センサ３上を通過するタイミングである。紙厚センサ３によって原稿なしを検出すると、制御部２０は、給紙駆動ローラ１を停止しそれ以降の給紙を停止する。制御部２０は紙厚センサ３のセンサ出力Ｓ１から原稿なしを検出すると、後述する第１の所定時間ｔ３ａを開始する。
【００２７】
タイミングｔ４は、タイミングｔ３で紙厚センサ３のセンサ出力Ｓ１から原稿なしを検出してから第１の所定時間ｔ３ａ経過後に、中間駆動ローラ４の逆回転を開始するタイミングである。この時が、重送した先行の第２原稿Ｐ２及び後行の第３原稿Ｐ３の分離が開始される時である。この時、制御部２０は、重送した先行の原稿としての第２原稿Ｐ２の画像の読取りを開始する。即ち、第２原稿Ｐ２の画像読取り開始前に、制御部２０は、第２モータ２３に対し中間駆動ローラ４により第３原稿Ｐ３の逆搬送を開始するよう指示する。
タイミングｔ５は、制御部２０が排出センサ８によって第２原稿Ｐ２の排出を検出し、第３原稿Ｐ３を正搬送するために中間駆動ローラ４の正回転を開始するタイミングである。第２原稿Ｐ２の排出を検出したときは、制御部２０は、第３原稿の画像の読取りを開始する。
タイミングｔ６は、第３原稿Ｐ３の画像の読取りが終了し、制御部２０が排出センサ８によって第３原稿Ｐ３の排出完了を検出するタイミングである。この時、制御部２０は、中間駆動ローラ４と排出駆動ローラ９及び給紙駆動ローラ１の搬送速度を元に戻し、給紙を再開する。
【００２８】
図５は、第１の実施の形態に関する原稿読取装置の動作を説明するフローチャートである。以下、図５及び前述の図１〜図４を用いて第１の実施の形態に関する原稿読取装置１０の動作を詳細に説明する。
先ず、操作者が複数枚の原稿をセットし原稿読取りを開始しようとして図示しないスイッチを操作すると、制御部２０は、第１モータ２２に対し給紙駆動ローラ１を回転させるよう指示する。給紙駆動ローラ１は図２に示す矢印Ａの方向に回転し、原稿Ｐを搬送路１１に給紙する。
【００２９】
Ｓ１０１：制御部２０は、図３に示したように通過する原稿の厚さに応じて出力される紙厚センサ３のセンサ出力Ｓ１から重送を検出したかどうか判断する。
Ｓ１０２：そして、重送を検出したときは、制御部２０は、第１モータ２２に対し給紙駆動ローラ１を停止するよう指示し、中間駆動ローラ４及び排出駆動ローラ９を正回転させたままとする（図４のタイミングｔ０）。
【００３０】
ここで、図６は、第１の実施の形態に関する原稿読取装置において重送が検出されたときの動作を示す概略断面図である。即ち、図６は、第１原稿Ｐ１の次に給紙される第２原稿Ｐ２と、その次に給紙される第３原稿Ｐ３が、リタードローラ２ｂで分離されずに重送となり、制御部２０が紙厚センサ３のセンサ出力Ｓ１に基づいて重送を検出したとき（図４のタイミングｔ０）の状態を示している。この給紙駆動ローラ１の停止により第ｎ原稿（Ｐｎ）の給紙は停止される。一方、第１原稿Ｐ１は、スキャナ部７によって画像が読取られ、排出される。
尚、ステップＳ１０２において、制御部２０が、紙厚センサ３のセンサ出力Ｓ１から３枚以上の重送を検出したと判断した場合は、原稿の重送を自動で解消することは不可能と判断し、全てのローラを停止するよう指示し、原稿読取を終了させるようにしてもよい。
【００３１】
再び図５のフローチャートに戻って、
Ｓ１０３：次に、制御部２０は、先行する第１原稿Ｐ１が排出されるタイミングを排出センサ８のセンサ出力Ｓ２から検出する（図４のタイミングｔ１）。
Ｓ１０４：そして、排出センサ８のセンサ出力Ｓ２によって先行する第１原稿Ｐ１の排出を検出すると、制御部２０は、第２モータ２３に対して中間駆動ローラ４を一時停止し、
及び第３モータ２４に対して排出駆動ローラ９を一時停止するよう指示する。その後、制御部２０は、第１モータ２２、第２モータ２３及び第３モータ２４に対し、給紙駆動ローラ１、中間駆動ローラ４及び排出駆動ローラ９を低速度で正回転させるよう指示する。即ち、第２原稿Ｐ２と第３原稿Ｐ３を重送状態のまま、搬送を再開する（図４のタイミングｔ２）。
【００３２】
Ｓ１０５：次に、制御部２０は、重送した原稿Ｐ２、Ｐ３なしのタイミング、即ち第３原稿Ｐ３の後端が紙厚センサ３上を通過するタイミングを紙厚センサ３のセンサ出力Ｓ１から検出する（図４のタイミングｔ３）。
Ｓ１０６ａ：次に、重送した第３原稿Ｐ３の後端が紙厚センサ３上を通過するタイミングｔ３を検出したときは、制御部２０は、第１モータ２２に対し給紙駆動ローラ１を停止するよう指示し、給紙駆動ローラ１は、その後の給紙を停止する。
そして、図４のタイミングｔ３の後、重送した第３原稿Ｐ３の後端が中間駆動ローラ４の手前まで、換言すると図２で説明した分岐点ａに来るまで、即ち、重送した原稿（Ｐ２、Ｐ３）を第１の所定時間ｔ３ａの間、低速で搬送方向へ搬送する（図４のタイミングｔ４）。
【００３３】
ここで、図７は、第１の実施の形態に関する原稿読取装置において重送した原稿の分離を開始する直前の動作を示す概略断面図である。即ち、図７は重送した第３原稿Ｐ３の後端が紙厚センサ３上を通過した後、重送状態のまま第１の所定時間ｔ３ａの間搬送され、次の動作である原稿の分離動作を開始する直前の状態を示す。重送した第３原稿Ｐ３の後端が中間駆動ローラ４の手前の分岐点ａまで搬送されている。
ここで、前述の第１の所定時間ｔ３ａは、重送した第３原稿Ｐ３の後端が、紙厚センサ３の位置から分岐点ａまでの長さＬａを低速で搬送される時間となる。従って、長さＬａ／低速搬送速度で予め設定することができる。
【００３４】
再び図５のフローチャートに戻って、
Ｓ１０６：次に、制御部２０は、第２モータ２３に対し中間駆動ローラ４を図７に示す矢印Ｃ方向に逆回転させ、第３原稿Ｐ３を第２の所定時間ｔ４ａの間、逆搬送するよう指示する。
ここで、第２の所定時間ｔ４ａは、第３原稿Ｐ３の逆搬送を開始してから第３原稿Ｐ３の先端（逆搬送時の後端）がスキャナ部７の上流側（手前側）に戻るまでの時間として予め設定することができる。
逆搬送した第３原稿Ｐ３の後端（逆搬送時の先端）は、給紙駆動ローラ１側に戻らないようにするため、図７の矢印Ｅのようにブレード６ａ及びガイド６ｂによって形成される原稿退避用開口部６から原稿読取装置１０の外に一時退避する。
【００３５】
一方、制御部２０は、排出駆動ローラ９を一定速度で正回転させたままとし、スキャナ部７で第２原稿Ｐ２の画像を読取り、図７の矢印Ｆに示す方向に排出する。このように第２原稿Ｐ２と第３原稿Ｐ３を反対方向に搬送することで、重送した原稿を分離することができる。
ここで、図８は、第１の実施の形態に関する原稿読取装置において重送した原稿が分離されたときの動作を示す概略断面図である。即ち、図８は、重送した第２原稿Ｐ２と第３原稿Ｐ３が、順方向と逆方向に分離され、次に第３原稿Ｐ３の画像読取りが開始される直前の状態を示している。
【００３６】
再び図５のフローチャートに戻って、
Ｓ１０７：制御部２０は、第２モータ２３に対し中間駆動ローラ４を停止するよう指示し、そして、排出センサ８によって第２原稿Ｐ２が排出され原稿なしとなっているかどうかを検出する。
Ｓ１０８：排出センサ８によって原稿なしが検出されていなかった場合、制御部２０は、第２モータ２３に対し、第２原稿Ｐ２が排出されて原稿なしを検出するまで中間駆動ローラ４を停止して待機するよう指示する。
【００３７】
Ｓ１０９：そして、制御部２０は、第２原稿Ｐ２が排出されて原稿なしを排出センサ８によって検出したときは、第２モータ２３に対し、中間駆動ローラ４を正回転に切り替えるよう指示する。そして、スキャナ部７に対し、第３原稿Ｐ３の画像を読取るよう指示する（図４のタイミングｔ５）。
Ｓ１１０：次に、制御部２０は、スキャナ部７によって第３原稿Ｐ３の画像を読取りながら第３モータ２４に対し、排出駆動ローラ９を駆動することにより第３原稿Ｐ３を排出するよう指示する。すると、制御部２０は、排出センサ８により原稿なしとなることを検出する。
Ｓ１１１：そして、制御部２０は、排出センサ８によって原稿なしを検出したときは、中間駆動ローラ４と排出駆動ローラ９の搬送速度を元に戻し、給紙駆動ローラ１を回転させて給紙を再開する（図４のタイミングｔ６）。
【００３８】
ところで、原稿読取装置１０における重送の程度によっては、前述した状態と異なる状態が発生する場合がある。図９は第１の実施の形態に関する原稿読取装置において重送の範囲が狭い原稿の状態を示す概略断面図である。ここで重送の範囲とは、搬送されている複数の原稿に重送があるとき、原稿一枚の面積に対する原稿が重なっている部分の面積をいう。重送範囲が広いとは、強いて記載すれば重なっている部分がおおよそ８割を超える場合が想定され、重送範囲が狭いとは、重なっている部分がおおよそ４割以下の場合が想定され、重送範囲が中程度とは両者の中間の場合が想定される。重送の範囲が狭い場合、上記ステップＳ１０６において、逆搬送した第３原稿Ｐ３の先端（逆搬送時の後端）が戻って排出駆動ローラ９上を通り過ぎる前に、第２原稿Ｐ２が矢印Ｆのように排出される場合がある。
【００３９】
この場合、逆回転する中間駆動ローラ４と正回転する排出駆動ローラ９で、第３原稿Ｐ３を引っ張り合う状態になる。そして、ステップＳ１０７における排出センサ８による原稿なしが検出されないままの状態となる。
このような状態を発生させないためには、中間駆動ローラ４の摩擦係数を排出駆動ローラ９の摩擦係数より大きくするのがよい。中間駆動ローラ４の摩擦係数を排出駆動ローラ９の摩擦係数より大きくすれば、中間駆動ローラ４により第３原稿Ｐ３を逆搬送させる力の方が排出駆動ローラ９の矢印Ｆ方向への搬送させる力よりも強くなり、第３原稿Ｐ３を逆搬送させることができる。
【００４０】
以上詳細に説明したように第１の実施の形態に関する原稿読取装置１０によれば、原稿の重送を紙厚センサ３によって検出したときは、スキャナ部７の上流側において重送した原稿Ｐ２、Ｐ３を分離させ、分離した原稿Ｐ２、Ｐ３をスキャナ部７により順次読取って排出するようにしたので、重送した原稿を再セットして画像を読取る手間をなくすことができる。また、原稿Ｐ２、Ｐ３の先端に対する紙厚センサ３のセンサ出力Ｓ１によって重送が発生したことを判定するので、重送を早い段階で検出することができる。更にまた、完全に重なり合っている重送の場合でも、自動で重送を解消することができる。
【００４１】
（第２の実施の形態）
次に、本発明を実施するための第２の実施の形態を説明する。第２の実施の形態に関する原稿読取装置１０の構成、概略断面図及び紙厚センサ３の構成は、図１、図２及び図３に示した第１の実施の形態に関する原稿読取装置１０の構成、概略断面図及び紙厚センサ３と同様であるので簡略化のためにその説明は省略する。
第１の実施の形態に関する原稿読取装置１０では、重送範囲が広い場合である（図６の第２原稿Ｐ２及び第３原稿Ｐ３を参照）。第２の実施の形態に関する原稿読取装置１０では、これよりも狭く、重送範囲が中程度の場合である（後述する図１２の第２原稿Ｐ２及び第３原稿Ｐ３を参照）。重送の範囲が中程度であると、重送した原稿の搬送において、重送範囲が広い場合に比較し、第２原稿Ｐ２の先端と第３原稿Ｐ３の後端の長さが長くなる。その結果、制御を異ならせる必要が生じる。
【００４２】
第２の実施の形態に関する原稿読取装置１０では、重送範囲が中程度の場合でも重送原稿の画像読取りが可能な動作となる。即ち、第１の実施の形態に関する原稿読取装置１０における図４のタイミングｔ３、ｔ４及び図５のステップＳ１０６ａ、Ｓ１０６における第２原稿Ｐ２の画像を読取る制御が異なる。この動作を図１０を用いて以下説明する。図１０は第２の実施の形態に関する原稿読取装置の動作を説明するタイムチャートである。
【００４３】
重送した第３原稿Ｐ３の後端が紙厚センサ３上を通過する直前までのタイミングｔ０〜ｔ２の動作は、図４に示す第１の実施の形態に関する原稿読取装置１０の動作と同様である。
タイミングｔ３は、重送した第３原稿Ｐ３の後端が紙厚センサ３上を通過するタイミングである。この時、制御部２０は紙厚センサ３によって原稿なしを検出すると、制御部２０は第１モータ２２に対し、給紙駆動ローラ１を停止し、それ以降の給紙を停止するよう指示する。そして、重送範囲が中程度の場合では、先行する第２原稿Ｐ２の先端がスキャナ部７を通過する場合があるので、第２原稿Ｐ２の前半Ｐ２ａ部分の原稿の読取りを開始する。
【００４４】
タイミングｔ４は、制御部２０がタイミングｔ３で紙厚センサ３のセンサ出力Ｓ１から原稿なしを検出してから第１の所定時間ｔ３ａ経過後に中間駆動ローラ４の逆回転を開始するタイミングである。この時、制御部２０は、第２原稿Ｐ２の残りの後半Ｐ２ｂ部分の画像の読取りを行う。即ち、第２原稿Ｐ２の画像読取りの途中に、第３原稿Ｐ３の逆搬送を開始することになる。
タイミングｔ５、タイミングｔ６は、第３原稿Ｐ３を正搬送し、画像読取りを行うタイミングである。この動作は第１の実施の形態に関する原稿読取装置１０の動作と同様であるので簡略化のためにその説明を省略する。
【００４５】
図１１は、第２の実施の形態に関する原稿読取装置の動作を説明するフローチャートである。以下、図１１及び前述の図１０を用いて第２の実施の形態に関する原稿読取装置１０の動作を詳細に説明する。
ステップＳ２０１〜Ｓ２０５、即ち、重送した第２原稿Ｐ２と第３原稿Ｐ３の後端が紙厚センサ３上を通過するまでの動作は、第１の実施の形態に関する原稿読取装置１０の動作であるステップＳ１０１〜Ｓ１０５と同様である。
Ｓ２０６ｂ：制御部２０は、重送した後行の原稿としての第３原稿Ｐ３の後端が紙厚センサ３上を通過するタイミングを検出したときは、第１モータ２２に対し、給紙駆動ローラ１を停止し、その後の給紙を停止するよう指示する。この時、重送範囲が中程度の場合では、第２原稿Ｐ２の先端がスキャナ部７を通過する場合があるので、第２原稿Ｐ２の前半Ｐ２ａ部分の画像読取りを開始する（図１０のタイミングｔ３）。
【００４６】
そして、重送した第３原稿Ｐ３の後端が中間駆動ローラ４の手前（後述する１２図の分岐点ａ）に進むまで、第１の所定時間ｔ３ａの間、重送した第３原稿Ｐ３を搬送する（図１０のタイミングｔ４）。
ここで、図１２は、第２の実施の形態に関する原稿読取装置において重送した原稿の分離動作を開始する直前の動作を示す概略断面図である。即ち、図１２は重送した第３原稿Ｐ３の後端が紙厚センサ３上を通過した後、重送状態のまま第１の所定時間ｔ３ａの間搬送され、次の動作である原稿の分離動作を開始する直前の状態を示す。重送した第３原稿Ｐ３の後端が中間駆動ローラ４の手前である分岐点ａまで搬送されている。
【００４７】
再び図１１のフローチャートに戻って、
Ｓ２０６ｃ：次に、制御部２０は、第２モータ２３に対し、中間駆動ローラ４を図１２の矢印Ｃ方向に逆回転させるよう指示する。そして、第３原稿Ｐ３を第２の所定時間ｔ４ａの間、逆搬送させる。
逆搬送した第３原稿Ｐ３の後端（逆搬送時の先端）は、給紙駆動ローラ１側に戻らないようにするため、図１２の矢印Ｅに示すようにブレード６ａ及びガイド６ｂによって形成される原稿退避用開口部６から原稿読取装置１０の外に一時退避させる。
【００４８】
一方、制御部２０は、第３モータ２４に対し、排出駆動ローラ９を一定速度で正回転させたままとするよう指示する。そして、制御部２０は、スキャナ部７に対し、第２原稿Ｐ２の残りの後半Ｐ２ｂ部分の画像を読取るよう指示する。第２原稿Ｐ２は図１２の矢印Ｆに示すように排出される。
そして、ステップＳ２０７〜Ｓ２１１に示すように、第３原稿Ｐ３を搬送し画像読取りを行う。この動作は第１の実施の形態に関する原稿読取装置１０の動作と同様であるので簡略化のためにその説明を省略する。
【００４９】
以上のように第２の実施の形態に関する原稿読取装置１０では、制御部２０は、重送した先行の原稿Ｐ２の画像読取りの途中に、前記重送した後行の原稿Ｐ３を逆搬送させるようにし、重送した原稿Ｐ２、Ｐ３を分離させたので、重送範囲が中程度の場合でも重送した先行の原稿Ｐ２の画像読取りを行うことができ、重送した原稿Ｐ２、Ｐ３を再セットして画像を読取る手間をなくすことができる。
【００５０】
（第３の実施の形態）
次に、本発明を実施するための第３の実施の形態を説明する。第３の実施の形態に関する原稿読取装置１０の構成、概略断面図及び紙厚センサ３の構成は、図１、図２及び図３の第１の実施の形態に関する原稿読取装置１０の構成、概略断面図及び紙厚センサ３と同様であるので簡略化のためにその説明は省略する。
【００５１】
前述のように第１の実施の形態に関する原稿読取装置１０では、重送範囲が広い場合である（図６の第２原稿Ｐ２及び第３原稿Ｐ３を参照）。第２の実施の形態に関する原稿読取装置１０では、これよりも狭く、重送範囲が中程度の場合である（図１２の第２原稿Ｐ２及び第３原稿Ｐ３を参照）。第３の実施の形態に関する原稿読取装置１０は、重送範囲が狭い場合である（後述する図１５の第２原稿Ｐ２及び第３原稿Ｐ３を参照）。重送の範囲が狭い場合であると、重送した原稿の搬送において、重送範囲が広い場合又は中程度の場合に比較し、第２原稿Ｐ２の先端と第３原稿Ｐ３の後端の長さがより長くなる。その結果、制御を異ならせる必要が生じる。
【００５２】
第３の実施の形態に関する原稿読取装置１０では、重送範囲が狭い場合でも重送原稿の画像読取りを可能とする。即ち、第１の実施の形態に関する原稿読取装置１０における図４のタイミングｔ２〜ｔ４及び図５のステップＳ１０４〜Ｓ１０６における第２原稿Ｐ２の画像を読取る制御が異なる。この動作を図１３を用いて以下説明する。図１３は第３の実施の形態に関する原稿読取装置の動作を説明するタイムチャートである。
【００５３】
第２原稿Ｐ２と第３原稿Ｐ３の重送が検出され、先行した第１原稿Ｐ１が排出されるまでのタイミングｔ０、ｔ１の動作は、第１の実施の形態に関する原稿読取装置１０と同様である。
タイミングｔ２は、給紙駆動ローラ１、中間駆動ローラ４及び排出駆動ローラ９が、低速で正回転を再開するタイミングである。その後、重送範囲が狭い場合では、先行する第２原稿Ｐ２の先端がスキャナ部７を通過する場合があるので、第２原稿Ｐ２の画像読取りを開始する。
タイミングｔ３は、重送した第３原稿Ｐ３の後端が紙厚センサ３上を通過するタイミングである。この時、制御部２０は、紙厚センサ３によって原稿なしを検出すると、第１モータ２２に対し給紙駆動ローラ１を停止しそれ以降の給紙を停止するよう指示する。
【００５４】
タイミングｔ４は、制御部２０がタイミングｔ３で紙厚センサ３のセンサ出力Ｓ１から原稿なしを検出してから第１の所定時間ｔ３ａ経過後に中間駆動ローラ４の逆回転を開始するタイミングである。この時、重送範囲が狭い場合では、第２原稿Ｐ２の後端がスキャナ部７を通過するので、第２原稿Ｐ２の画像読取りを終了する。即ち、第２原稿Ｐ２の画像読取りを終了した後に、第３原稿Ｐ３を逆搬送させる。
タイミングｔ５、タイミングｔ６は、第３原稿Ｐ３を搬送し画像読取りを行うタイミングである。この動作は第１の実施の形態に関する原稿読取装置１０の動作と同様であるので簡略化のためにその説明を省略する。
【００５５】
図１４は、第３の実施の形態に関する原稿読取装置の動作を説明するフローチャートである。以下、図１４及び前述の図１３を用いて第３の実施の形態に関する原稿読取装置１０の動作を詳細に説明する。
ステップＳ３０１〜Ｓ３０３における、第２原稿Ｐ２と第３原稿Ｐ３の重送を検出し、先行する第１原稿Ｐ１を排出した後、低速で搬送を再開するまでの動作は、第１の実施の形態に関する原稿読取装置１０の動作であるステップＳ１０１〜Ｓ１０３と同様である。
【００５６】
Ｓ３０４：そして、制御部２０は、排出センサ８のセンサ出力Ｓ２によって先行する第１原稿Ｐ１の排出を検出すると、第２モータ２３に対し中間駆動ローラ４を一時停止し、更に第３モータ２４に対し排出駆動ローラ９を一時停止するよう指示する。そして、第１モータ２２、第２モータ２３及び第３モータ２４に対し、給紙駆動ローラ１、中間駆動ローラ４及び排出駆動ローラ９を低速度で正回転させ、第２原稿Ｐ２と第３原稿Ｐ３を重送状態のまま、搬送を再開するよう指示する（図１３のタイミングｔ２）。
【００５７】
Ｓ３０４ａ：この時、重送範囲が狭い場合では、第２原稿Ｐ２の先端がスキャナ部７を通過する場合があるので、制御部２０は、スキャナ部７に対し、第２原稿Ｐ２の画像読取りを開始するよう指示する。
Ｓ３０５：次に、制御部２０は、重送した第３原稿Ｐ３の後端が紙厚センサ３上を通過するタイミングを紙厚センサ３のセンサ出力Ｓ１から検出する（図１３のタイミングｔ３）。
Ｓ３０６ａ：次に、制御部２０は、重送した後行の原稿としての第３原稿Ｐ３の後端が紙厚センサ３上を通過するタイミングｔ３を検出したときは、第１モータ２２に対し給紙駆動ローラ１を停止し、その後の給紙を停止するよう指示する。
【００５８】
そして、重送した第３原稿Ｐ３の後端が中間駆動ローラ４の手前（後述する図１２の分岐点ａ）に進むまで、第１の所定時間ｔ３ａの間、重送した原稿（Ｐ２、Ｐ３）を搬送する（図１３のタイミングｔ４）。この時、重送範囲が狭い場合では、第２原稿Ｐ２の後端がスキャナ部７を通過するので、第２原稿Ｐ２の画像読取りを終了する。
【００５９】
ここで、図１５は、第３の実施の形態に関する原稿読取装置において重送した原稿の分離を開始する直前の動作を示す概略断面図である。即ち、図１５は重送した第３原稿Ｐ３の後端が紙厚センサ３上を通過した後、重送状態のまま第１の所定時間ｔ３ａの間搬送され、次の動作である原稿の分離動作を開始する直前の状態を示す。重送した第３原稿Ｐ３の後端が中間駆動ローラ４の手前の分岐点ａまで搬送されている。
【００６０】
再び図１４のフローチャートに戻って、
Ｓ３０６：次に、制御部２０は、第２モータ２３に対し、中間駆動ローラ４を図１５の矢印Ｃ方向に逆回転させ、そして、第３原稿Ｐ３を第２の所定時間ｔ４ａの間、逆搬送するよう指示する。
逆搬送した第３原稿Ｐ３の後端（逆搬送時の先端）は、給紙駆動ローラ１側に戻らないようにするため、図１５の矢印Ｅに示すようにブレード６ａ及びガイド６ｂにより形成された原稿退避用開口部６から原稿読取装置１０の外に一時退避させる。
そして、ステップＳ３０７〜Ｓ３１１のように、制御部２０は、第３原稿Ｐ３を搬送し画像読取りを行う。この動作は第１の実施の形態に関する原稿読取装置１０の動作と同様であるので簡略化のために省略する。
【００６１】
以上のように第３の実施の形態に関する原稿読取装置１０では、制御部２０は、重送した先行の原稿Ｐ２の画像読取りを終了した後に、重送した後行の原稿Ｐ３を逆搬送させ、重送した原稿Ｐ２、Ｐ３を分離させたので、重送範囲が狭い場合でも重送した先行の原稿Ｐ２及び後行の原稿Ｐ３の画像読取りを行うことができ、重送した原稿を再セットして画像を読取る手間をなくすことができる。
【００６２】
（その他の変形例１）
以上の第１〜第３の実施の形態に関する原稿読取装置１０の説明では、重送範囲が広い場合では第１の実施の形態を、重送範囲が中程度の場合では第２の実施の形態を、重送範囲が狭い場合では第３の実施の形態を実施するように説明したが、次のように重送範囲の広さに応じて各実施の形態を選択的に実施するようにしてもよい。図１６はその他の変形例に関する原稿読取装置の動作を示す説明図である。図１６は、紙厚センサ３のセンサ出力Ｓ１が重送して先行する原稿の先端Ｘｓ及び後行する原稿の先端Ｘａにおいて上昇し、先行する原稿の後端Ｘｂ及び後行する原稿の後端Ｘｅにおいて下降する状態を示す。
【００６３】
先ず、制御部２０は、紙厚センサ３のセンサ出力Ｓ１から重送範囲の広さを判定する。即ち、図１６の後行する原稿の先端Ｘａから先行する原稿の後端Ｘｂまでの長さ、即ち、重送部分の長さＬｘと、先行する原稿の先端Ｘｓから後行の後端Ｘｂまでの長さ、即ち原稿の長さＬｚとし、重送の割合＝Ｌｘ／Ｌｚの値を求める。
【００６４】
そして、制御部２０は例えば、１≧Ｌｘ／Ｌｚ≧０．８であれば重送範囲が広いと判定する。０．８＞Ｌｘ／Ｌｚ≧０．４であれば重送範囲が中程度であると判定する。０．４＞Ｌｘ／Ｌｚの場合は重送範囲が狭いと判定する。
そして、重送範囲が広いと判定した場合は、第１の実施の形態に記載の動作に切替えて実施する。重送範囲が中程度であると判定した場合は、第２の実施の形態に記載の動作に切替えて実施する。重送範囲が狭いと判定した場合は、第３の実施の形態に記載の動作に切替えて実施する。即ち、重送範囲に応じて、重送した後行の原稿Ｐ３の逆搬送のタイミングに対して第２原稿Ｐ２の画像読取りのタイミングを変化させる。
【００６５】
ここで、後行する原稿の後端Ｘｅを重送範囲の判定に用いていないのは、以下の理由による。即ち、重送範囲が狭い場合では、重送範囲の判定を重送した原稿の後端Ｘｅが紙厚センサ３上を通過するまで待つと、重送した原稿の先端がスキャナ部７を通過してしまう場合があるためである。
【００６６】
（その他の変形例２）
また、以上の実施の形態に関する原稿読取装置１０の説明では、図２に示すように給紙駆動ローラ１を搬送路１１の上側に配置し、セットされた原稿の上側の原稿から順に給送する例を示したが、給紙駆動ローラ１を搬送路１１の下側に配置するようにしてもよい。この場合、下側の原稿から順に給送されるために重送が発生する場合は下側の原稿が先行する。
【００６７】
従って、各駆動ローラ等の配置は、図１７に示すようにする。図１７はその他の変形例に関する原稿読取装置の動作を示す概略断面図である。リタードローラ２ｂ、中間駆動ローラ４、紙厚センサ３は搬送路１１に対して上下他方の側、即ち、給紙駆動ローラ１と反対側に配置する。排出駆動ローラ９及びスキャナ部７は搬送路１１に対して上下一方の側、即ち、給紙駆動ローラ１側に配置する。紙厚センサ３の配置は図３（ｂ）に示した状態になる。
また、給紙駆動ローラ１、中間駆動ローラ４及び排出駆動ローラ９の回転方向は、矢印Ａ＊、Ｂ＊、Ｄ＊のように第１〜第３の実施の形態に関する原稿読取装置１０とは逆回転とする。
【００６８】
以上の実施の形態に関する原稿読取装置の説明では、原稿読取装置について説明したが、原稿読取装置を搭載する複合機、複写機又は文字読取装置にも本発明を適用することができる。
【符号の説明】
【００６９】
１０    原稿読取装置
１    給紙駆動ローラ
３    紙厚センサ
４    中間駆動ローラ
６    原稿退避用開口部
７    スキャナ部
８    排出センサ
９    排出駆動ローラ
Ｐ１  第１原稿
Ｐ２  第２原稿
Ｐ３  第３原稿
【図１】
2017011661.tif 000003
【図２】
2017011661.tif 000004
【図３】
2017011661.tif 000005
【図４】
2017011661.tif 000006
【図５】
2017011661.tif 000007
【図６】
2017011661.tif 000008
【図７】
2017011661.tif 000009
【図８】
2017011661.tif 000010
【図９】
2017011661.tif 000011
【図１０】
2017011661.tif 000012
【図１１】
2017011661.tif 000013
【図１２】
2017011661.tif 000014
【図１３】
2017011661.tif 000015
【図１４】
2017011661.tif 000016
【図１５】
2017011661.tif 000017
【図１６】
2017011661.tif 000018
【図１７】
2017011661.tif 000019